(57)【要約】【課題】大型ビジョンの娯楽性を高めると共に、大型ビジョンの認視度を向上させる。【解決手段】端末装置１００では、メッセージ入力部１１０で入力したメッセージを送信し、待機状態表示部１０５より待機状態を示す画面を表示する。メッセージ表示装置２２０では、受信したメッセージを、表示禁止用語２０５に基づいて自動排除部２０４で排除し、手動排除部２０６で更に排除し、表示可能なメッセージを選別する。メッセージが排除されると、端末装置１００で排除報告表示部１０７より排除された旨の画面の表示を行う。メッセージが選別されると、端末装置１００で待機状態表示部１０５より表示部１０１で表示する旨の画面表示が行い、メッセージ表示部２１０において表示可能なメッセージを大型ビジョン３００の表示位置指示部２０７で指示された表示位置に表示する。【選択図】図１
2012208847.tif 000002
【特許請求の範囲】
【請求項１】
入力手段を介してメッセージを入力するメッセージ入力手段と、入力された前記メッセージを表示する表示手段と、入力された前記メッセージをメッセージ表示装置に送信するメッセージ送信手段とを備え、通信ネットワークに接続された１つまたは複数の端末装置と、
前記端末装置から送信された前記メッセージを受信するメッセージ受信手段と、予め登録された表示禁止用語と一致する前記メッセージを排除して表示可能なメッセージを選別する自動排除手段と、前記表示可能なメッセージを大型ビジョンに表示するメッセージ表示手段とを備え、通信ネットワークに接続された１つまたは複数のコンピュータ上に実装されているメッセージ表示装置と、
から構成されることを特徴とするメッセージ表示システム。
【請求項２】
前記メッセージ表示装置は、更に、
前記表示可能なメッセージを表示する表示手段と、
入力手段を介して前記表示手段に出力された前記表示可能なメッセージを排除して表示可能なメッセージを更に選別する手動排除手段と、
を備えることを特徴とする請求項１に記載のメッセージ表示システム。
【請求項３】
前記メッセージ表示装置は、更に、
前記表示可能なメッセージを大型ビジョンに表示する表示位置を指示する表示位置指示手段を備え、
前記メッセージ表示手段は、前記表示可能なメッセージを前記大型ビジョンの前記表示位置に表示することを特徴とする請求項１または２に記載のメッセージ表示システム。
【請求項４】
前記メッセージ表示手段は、前記大型ビジョンに表示されている映像に重ね合わせて前記表示可能なメッセージを大型ビジョンに表示することを特徴とする請求項１〜３のいずれか一項に記載のメッセージ表示システム。
【請求項５】
前記表示位置指示手段は、事前に設定された表示禁止領域以外の領域に表示位置を指示することを特徴とする請求項１〜４のいずれか一項に記載のメッセージ表示システム。
【請求項６】
前記メッセージ表示手段は、前記表示可能なメッセージを、所定の時刻に、前記大型ビジョンに表示することを特徴とする請求項１〜５のいずれか一項に記載のメッセージ表示システム。
【請求項７】
前記メッセージ表示手段は、前記表示可能なメッセージを、一定時間経過するまで、前記大型ビジョンに表示することを特徴とする請求項１〜６のいずれか一項に記載のメッセージ表示システム。
【請求項８】
前記メッセージ表示装置は、更に、
前記メッセージ表示手段で、前記表示可能なメッセージを前記大型ビジョンに表示する前に、前記表示可能なメッセージを表示する旨の表示報告を前記端末装置に送信する表示報告送信手段を備え、
前記端末装置は、更に、
前記メッセージ表示装置からの前記表示報告を受信する表示報告受信手段と、
前記メッセージ送信手段で前記メッセージ表示装置に前記メッセージを送信してから、前記表示報告受信手段で前記表示報告を受信するまでの間、待機状態を示す画面を前記表示手段に表示し、前記表示報告受信手段で前記表示報告を受信した際に、前記メッセージが前記大型ビジョンに表示される旨の画面を前記表示手段に表示する待機状態表示手段と、を備えることを特徴とする請求項１〜７のいずれか一項に記載のメッセージ表示システム。
【請求項９】
前記メッセージ表示装置は、更に、
前記メッセージが排除された際に排除報告を前記端末装置に送信する排除報告送信手段を備え、
前記端末装置は、更に、
前記メッセージ表示装置からの前記排除報告を受信する排除報告受信手段と、
前記排除報告受信手段で前記排除報告を受信した際に、前記メッセージを大型ビジョンに表示することができない旨を示す画面を前記表示手段に表示する排除報告表示手段と、を備えることを特徴とする請求項１〜８のいずれか一項に記載のメッセージ表示システム。
【請求項１０】
前記端末装置は、更に、
前記入力手段を介して複数の前記大型ビジョンからメッセージを表示する大型ビジョンを選択させる大型ビジョン選択手段と、
前記選択された大型ビジョンに対応する識別子をメッセージ表示装置に送信する識別子送信手段を備え、
前記メッセージ表示装置は、更に、
前記端末装置から送信された前記識別子を受信する識別子受信手段を備え、
前記メッセージ表示手段が、前記識別子に対応する大型ビジョンに対して、前記表示可能なメッセージを表示することを特徴とする請求項１〜９のいずれか一項に記載のメッセージ表示システム。  
【請求項１１】
前記表示禁止用語が、前記複数の前記大型ビジョン毎に予め登録され、
前記自動排除手段が、前記識別子に対応する前記大型ビジョンの前記表示禁止用語と一致する前記メッセージを排除して表示可能なメッセージを選別することを特徴とする請求項１０に記載のメッセージ表示システム。
【請求項１２】
前記端末装置は、通信ネットワークに接続された携帯電話、携帯情報端末、或いは、パーソナルコンピュータであることを特徴とする請求項１〜１１に記載のメッセージ表示システム。
【発明の詳細な説明】
【技術分野】
【０００１】
本発明は、大型ビジョンへメッセージを表示させるメッセージ表示システムに関する。
【背景技術】
【０００２】
従来から、屋外にいる一般大衆に対する広告主の各種商品やサービスの販売促進を目的として、街頭に設置された大型ビジョンに広告映像を表示して情報伝達することが行われたり、屋外にいる一般大衆に対する娯楽を目的として、街頭に設置された大型ビジョンに屋外にいる一般大衆を撮影したビデオカメラ映像を表示することが行われたりしている。また、野球場やサッカー場等のスポーツ施設、競馬場等の公営球技施設では、施設内にいる一般大衆に対して競技内容を表示する大型ビジョンにおいて、施設内にいる一般大衆に対する広告主の各種商品やサービスの販売促進を目的として、競技時間の途中のハーフタイム等に広告映像を表示して情報伝達したり、施設内にいる一般大衆に対する娯楽を目的として、施設内にいる一般大衆を撮影した大型ビジョンにビデオカメラ映像を表示することが行われたりしている。
【０００３】
しかしながら、このような大型ビジョンでは、一方的かつ画一的に映像（ここで、映像とは、広告映像やビデオカメラ映像等の大型ビジョンに表示される映像全般を意味する。）を表示するにすぎず、街頭では歩行中である一般大衆やスポーツ施設等では飲食等の休憩中である一般大衆が、街頭ビジョンに表示される映像を認視することが難しく、一般大衆の関心を映像に集めることが困難であるという問題がある。また、大型ビジョンが一般大衆に対して一方的且つ画一的に映像を流しているにため、一般大衆が大型ビジョンに対して娯楽性を感じることが少ないという問題がある。そこで、大型ビジョンに一般大衆の関心を集める技術として、特許文献１に示すような手段がある。
【先行技術文献】
【特許文献】
【０００４】
【特許文献１】特開２００３−２２３４６号公報
【発明の概要】
【発明が解決しようとする課題】
【０００５】
しかしながら、特許文献１に示す技術では、広告映像を質問により選択させているため、選択されなかった広告主の広告映像が表示されず、広告主の販売促進という利益にそぐわないという問題がある。また、一般大衆であるユーザが入力したメッセージと広告映像とが別々に表示されているため、メッセージを確認するだけにとどまり、広告映像を注視しないという問題がある。更に、広告映像の選択からメッセージの表示までの一連の作業に時間がかかる上、必ず広告映像を選択して表示されなければならないため、屋外で歩行中のユーザの行動を妨げたり、施設内で限られた時間内において休憩を行っているユーザの行動を妨げたりして、ユーザの娯楽性が損なわれる問題がある。
【０００６】
従って、大型ビジョンに対して直接ユーザがメッセージを書き込むことができれば、メッセージを書き込んだユーザが大型ビジョンに表示されるメッセージを確認しようとするため、大型ビジョンの視認度を向上させることができると共に、メッセージが表示される大型ビジョン周辺にいる人々の間にコミュニケーションが生まれ、大型ビジョンの娯楽性が高まり、更には、大型ビジョンに映像が表示されている場合には、大型ビジョンに表示されている映像の認視度を向上させることができる。
【０００７】
そこで、本発明が解決しようとする課題は、大型ビジョンの娯楽性を高めると共に、大型ビジョンの認視度を向上させることができるメッセージ表示システムを提供するものである。
【課題を解決するための手段】
【０００８】
本発明に係るメッセージ表示システムは、入力手段を介してメッセージを入力するメッセージ入力手段と、入力された前記メッセージを表示する表示手段と、入力された前記メッセージをメッセージ表示装置に送信するメッセージ送信手段とを備え、通信ネットワークに接続された１つまたは複数の端末装置と、前記端末装置から送信された前記メッセージを受信するメッセージ受信手段と、予め登録された表示禁止用語と一致する前記メッセージを排除して表示可能なメッセージを選別する自動排除手段と、前記表示可能なメッセージを大型ビジョンに表示するメッセージ表示手段とを備え、通信ネットワークに接続された１つまたは複数のコンピュータ上に実装されているメッセージ表示装置と、から構成されることを特徴とする。
【０００９】
これによると、ユーザが端末装置から通信ネットワークを介して大型ビジョンにメッセージを書き込むことができるため、メッセージを書き込んだユーザが大型ビジョンに表示されるメッセージを確認しようとするため、大型ビジョンの視認度を向上させることができると共に、メッセージが表示される大型ビジョン周辺にいる人々の間にコミュニケーションが生まれ、端末装置を持つユーザに対する大型ビジョンの娯楽性を高めることができる。また、公序良俗違反になるメッセージ（卑猥な言葉や放送禁止用語）や大型ビジョンの所有者や広告映像の広告主等にとって不利益となるようなメッセージを表示禁止用語として予め登録しておくことにより、かかる表示禁止用語に一致するメッセージを排除して、大型ビジョンに表示されるメッセージの健全性を確保することができる。更に、メッセージ表示装置が、通信ネットワークに接続された１つまたは複数のコンピュータ上に実装されていることから、メッセージ表示装置を構成する手段の一部を大型ビジョン接続端末（コンピュータ）上と大型ビジョンから遠隔地のコンピュータ上にそれぞれ実装して、遠隔地のコンピュータの管理を委託したり、メッセージ表示装置を構成する手段の全部を大型ビジョン接続端末（コンピュータ）上に実装して、１つのコンピュータに管理を集中させたりして、運用労力を分配することができる。
【００１０】
ここで、本発明に係るメッセージ表示システムは、前記メッセージ表示装置は、更に、前記表示可能なメッセージを表示する表示手段と、入力手段を介して前記表示手段に出力された前記表示可能なメッセージを排除して表示可能なメッセージを更に選別する手動排除手段と、を備えて良い。
【００１１】
これによると、予め登録された表示禁止用語に一致しないが、公序良俗違反になるメッセージ（卑猥な言葉や放送禁止用語）や大型ビジョンの所有者や広告映像の広告主等にとって不利益となるようなメッセージを、更に、手動により確認して排除することにより、大型ビジョンに表示されるメッセージの健全性をより一層確保することができる。
【００１２】
また、本発明に係るメッセージ表示システムは、前記メッセージ表示装置は、更に、前記表示可能なメッセージを大型ビジョンに表示する表示位置を指示する表示位置指示手段を備え、前記メッセージ表示手段は、前記表示可能なメッセージを前記大型ビジョンの前記表示位置に表示して良い。
【００１３】
これによると、複数のメッセージが重ならないように表示位置を指示することにより、メッセージを送信したユーザの利益が確保することができる。更に、表示位置とは、固定した表示位置に限らず、時間の経過とともに移動する表示位置も含むものであり、時間の経過とともに移動する表示位置を指示することにより、メッセージの移動に伴い、大型ビジョンの視認度を向上させることができる。
【００１４】
また、本発明に係るメッセージ表示システムは、前記メッセージ表示手段は、前記大型ビジョンに表示されている映像に重ね合わせて前記表示可能なメッセージを大型ビジョンに表示されてよい。
【００１５】
これによると、大型ビジョンに表示されるメッセージの確認と同時に大型ビジョンに表示されている映像を必然的に見ることになるため、大型ビジョンに表示されている映像の認視度を向上させることができる。特に、大型ビジョンに表示されている映像が広告映像である場合は、広告宣伝効果を高めることができる。ここで、映像とは、広告映像やビデオカメラ映像等の大型ビジョンに表示される映像全般を含むものである。
【００１６】
また、本発明に係るメッセージ表示システムは、事前に設定された表示禁止領域以外の領域に表示位置を指示して良い。
【００１７】
これによると、例えば、メッセージを映像と重ね合わせる表示する場合に、映像として表示しておくべき領域を表示禁止領域として予め設定しておくことにより、映像の視認度が阻害することを防ぎ、大型ビジョンの所有者や広告映像の広告主等に不利益が生じることを防止することができる。
【００１８】
また、本発明に係るメッセージ表示システムは、前記メッセージ表示手段は、前記表示可能なメッセージを、所定の時刻に、前記大型ビジョンに表示して良い。
【００１９】
これによると、大型ビジョンでメッセージが表示される所定の時刻を予め決めておいて（例えば、事前に端末装置にメッセージが表示される所定の時刻を表示させる）、所定の時刻にメッセージを大型ビジョンに表示することにより、メッセージを送信するユーザが端末装置で事前にメッセージを送信してから、大型ビジョンの場に行って見る事が可能となり、大型ビジョン前で端末装置をあわててメッセージを送信することを防止することができ、大型ビジョンの娯楽性をより一層高めることができる。また、予め大型ビジョンが利用できる時間が決まっているようなスポーツ施設等でのイベントに利用することが可能となり、メッセージを送信するユーザが利用しやすくなり、大型ビジョンの娯楽性をより一層高めることができる。
【００２０】
また、本発明に係るメッセージ表示システムは、前記メッセージ表示手段は、前記表示可能なメッセージを、一定時間経過するまで、前記大型ビジョンに表示して良い。
【００２１】
これによると、一定時間経過するまでメッセージを見ることにより、大型ビジョンをより長く見ることになり、大型ビジョンの視認度を向上させることができる。ここで、一定時間経過した際にメッセージを即時に消去してもよいし、一定時間経過するまでの間にメッセージを次第に消去したりしてもよい。
【００２２】
また、本発明に係るメッセージ表示システムは、前記メッセージ表示装置は、更に、前記メッセージ表示手段で、前記表示可能なメッセージを前記大型ビジョンに表示する前に、前記表示可能なメッセージを表示する旨の表示報告を前記端末装置に送信する表示報告送信手段を備え、前記端末装置は、更に、前記メッセージ表示装置からの前記表示報告を受信する表示報告受信手段と、前記メッセージ送信手段で前記メッセージ表示装置に前記メッセージを送信してから、前記表示報告受信手段で前記表示報告を受信するまでの間、待機状態を示す画面を前記表示手段に表示し、前記表示報告受信手段で前記表示報告を受信した際に、前記メッセージが前記大型ビジョンに表示される旨の画面を前記表示手段に表示する待機状態表示手段と、を備えて良い。
【００２３】
これによると、端末装置からメッセージを送信してから、大型ビジョンにメッセージが表示されるまでのタイムラグの間、端末装置において待機状態を示す画面を表示することにより、端末装置からメッセージを送信したユーザの期待感を高めることにより、娯楽性をより一層増すことができると共に、大型ビジョンの視認度をより向上させることができる。
【００２４】
また、本発明に係るメッセージ表示システムは、前記メッセージ表示装置は、更に、前記メッセージが排除された際に排除報告を前記端末装置に送信する排除報告送信手段を備え、前記端末装置は、更に、前記メッセージ表示装置からの前記排除報告を受信する排除報告受信手段と、前記排除報告受信手段で前記排除報告を受信した際に、前記メッセージを大型ビジョンに表示することができない旨を示す画面を前記表示手段に表示する排除報告表示手段と、を備えて良い。
【００２５】
これによると、端末装置においてメッセージを大型ビジョンに表示することができない旨を示す画面を表示することにより、端末装置からメッセージを送信したユーザが、メッセージが表示されないことを知ることができ、ユーザの不利益を防止することができる。尚、排除報告を受信した端末装置において、再度、メッセー入力部によりメッセージを入力できるように構成してもよい。
【００２６】
また、本発明に係るメッセージ表示システムは、前記端末装置は、更に、前記入力手段を介して複数の前記大型ビジョンからメッセージを表示する大型ビジョンを選択させる大型ビジョン選択手段と、前記選択された大型ビジョンに対応する識別子をメッセージ表示装置に送信する識別子送信手段を備え、前記メッセージ表示装置は、更に、前記端末装置から送信された前記識別子を受信する識別子受信手段を備え、前記メッセージ表示手段が、前記識別子に対応する大型ビジョンに対して、前記表示可能なメッセージを表示して良い。  
【００２７】
これによると、メッセージを表示する大型ビジョンを複数から選択することができ、複数の場所に設置されている大型ビジョンに対応することができる。
【００２８】
本発明に係るメッセージ表示システムは、前記表示禁止用語が、前記複数の前記大型ビジョン毎に予め登録され、前記自動排除手段が、前記識別子に対応する前記大型ビジョンの前記表示禁止用語と一致する前記メッセージを排除して表示可能なメッセージを選別して良い。
【００２９】
これによると、複数の大型ビジョン毎に所有者や広告映像の広告主等が異なるため、複数の大型ビジョン毎に公序良俗違反になるメッセージ（卑猥な言葉や放送禁止用語）や大型ビジョンの所有者や広告映像の広告主等にとって不利益となるようなメッセージである表示禁止用語が異なり、複数の大型ビジョン毎に異なる表示禁止用語に対応することができる。
【００３０】
更に、本発明に係るメッセージ表示システムは、前記端末装置は、通信ネットワークに接続された携帯電話、携帯情報端末、或いは、パーソナルコンピュータであって良い。
【００３１】
これによると、携帯電話や携帯情報端末のアプリケーションやブラウザ等を用いることにより、メッセージ表示装置との間で通信ネットワークを介して通信を行うことができる。
【発明の効果】
【００３２】
本発明のメッセージ表示システムは、大型ビジョンの娯楽性を高めると共に、大型ビジョンの認視度を向上させることができる。
【図面の簡単な説明】
【００３３】
【図１】第一の実施形態に係るメッセージ表示システムのブロック図である。
【図２】第一の実施形態に係るメッセージ表示システムの端末装置の処理の手順について説明したフローチャートである。
【図３】第一の実施形態に係るメッセージ表示システムのメッセージ表示装置の処理の手順について説明したフローチャートである。
【図４】第一の実施形態に係るメッセージ表示システムのデータの送受信の概要を示す図である。
【図５】第一の実施形態に係る端末装置の表示部を示すイメージ図である。
【図６】第一の実施形態に係る大型ビジョンを示すイメージ図である。
【図７】第二の実施形態に係るメッセージ表示システムのブロック図である。
【図８】第二の実施形態に係るメッセージ表示システムの端末装置の処理の手順について説明したフローチャートである。
【図９】第二の実施形態に係るメッセージ表示システムのメッセージ表示装置の処理の手順について説明したフローチャートである。
【図１０】第二の実施形態に係るメッセージ表示システムのデータの送受信の概要を示す図である。
【図１１】第二の実施形態に係る端末装置の表示部を示すイメージ図である。
【図１２】第一の実施形態に係るメッセージ表示システムの変形例を示すブロック図である。
【図１３】第一の実施形態に係るメッセージ表示システムの変形例を示すブロック図である。
【発明を実施するための形態】
【００３４】
以下、図面を参照しつつ、本発明に係るメッセージ表示システムを実施するための形態について、具体的な一例に即して説明する。
【００３５】
尚、以下に説明するものは、例示したものにすぎず、本発明に係るメッセージ表示システムの適用限界を示すものではない。すなわち、本発明に係るメッセージ表示システムは、下記の実施形態に限定されるものではなく、特許請求の範囲に記載した限りにおいてさまざまな変更が可能なものである。
【００３６】
［第一の実施形態］
まず、第一の実施形態に係るメッセージ表示システムについて、図１に基づいて説明する。図１は、第一の実施形態に係るメッセージ表示システムのブロック図である。図１に示すように、メッセージ表示システム１は、複数の端末装置１００と、データセンター２２０と大型ビジョン接続端末２２１とから構成されるメッセージ表示装置２００と、大型ビジョン３００とから構成されている。また、端末装置１００とデータセンター２２０と大型ビジョン接続端末２２１とは、それぞれ通信ネットワーク２に接続されている。
【００３７】
端末装置１００は、表示部１０１と、入力部１０２と、メッセージ送信部１０３と、表示報告受信部１０４と、待機状態表示部１０５と、排除報告受信部１０６と、排除報告表示部１０７と、メッセージ入力部１１０と、を有して、通信ネットワーク２に接続された携帯電話１００や携帯情報端末１００やパーソナルコンピュータ１００上に実装される。かかる携帯電話１００や携帯情報端末１００やパーソナルコンピュータ１００には、様々なハードウェアが収納されており、ハードウェアに含まれる記憶媒体にはプログラムやアプリケーション（このプログラムやアプリケーションは、リムーバブルな記憶媒体に記録したり、通信ネットワークを介して配信したりすることが可能である。）を含む各種のソフトウェアが記録されている。そして、これらのハードウェア及びソフトウェアが組み合わされることによって、上述の各部１０１〜１０７が構築されている。また、端末装置１００では、端末装置１００上に構築されているアプリケーションやブラウザを介して、通信ネットワーク２に接続されたメッセージ表示装置２００との通信を行う。
【００３８】
表示部１０１は、端末装置１００の表示装置（例えば、携帯電話や携帯情報端末の液晶画面や有機ＥＬ、パーソナルコンピュータのディスプレイ）であり、後述する入力部１０２から入力されたメッセージを表示したり、後述する待機状態表示部１０５に基づいて待機状態を示す画面を表示したり、後述する排除報告表示部１０７に基づいてメッセージを大型ビジョンに表示することができない旨を示す画面を表示したりするためのものである。
【００３９】
メッセージ入力部１１０は、入力部１０２を介してメッセージを入力するためのものである。ここで、入力部１０２では、表示部１０１で表示される入力内容をみながら、メッセージを入力するように構成される。また、入力部１０２は、端末装置１００の入力装置（例えば、携帯電話や携帯情報端末の操作ボタンやキーボード、パーソナルコンピュータのキーボードやマウス）である。
【００４０】
メッセージ送信部１０３は、入力部１０２で入力されたメッセージを、通信ネットワーク２を介して、後述するメッセージ表示装置２００に送信するためのものである。
【００４１】
表示報告受信部１０４は、後述するメッセージ表示装置２００を構成する表示報告送信部２０８から送信された表示報告を受信するためのものである。
【００４２】
待機状態表示部１０５は、メッセージ送信部１０３でメッセージ表示装置２００にメッセージを送信してから、表示報告受信部１０４で表示報告を受信するまでの間、待機状態を示す画面を表示部１０１に表示するためのものである。
【００４３】
排除報告受信部１０６は、後述するメッセージ表示装置２００を構成する排除報告送信部２０８から送信された排除報告を受信するためのものである。
【００４４】
排除報告表示部１０７は、排除報告受信部１０６で排除報告を受信した際に、メッセージを大型ビジョン３００に表示することができない旨を示す画面を前記表示部１０１に表示するためのものである。尚、排除報告表示部１０７において排除報告を受信した場合、メッセージを大型ビジョン３００に表示することができない旨と同時に表示された再入力するかどうかの旨が表示された表示部１０１の画面を表示部１０１で表示して、入力部１０２を介してメッセージの再入力を行うか判断させるようしても良い。そして、入力部１０２を介してメッセージの再入力を行うと判断されると、再度、メッセー入力部１１０によりメッセージを入力できるように構成してもよい。このように構成することにより、端末装置１００からメッセージを送信したユーザに再度メッセージ入力の機会が与えられ、娯楽性をより高めることができる。
【００４５】
メッセージ表示装置２００を構成するデータセンター２２０は、表示部２０１と、入力部２０２と、メッセージ受信部２０３と、自動排除部２０４と、表示禁止用語２０５と、手動排除部２０６と、表示位置指示部２０７と、表示報告送信部２０８と、排除報告送信部２０９と、を有して、通信ネットワーク２に接続されたコンピュータ上に実装される。かかるコンピュータには、ＣＰＵ、ＲＯＭ、ＲＡＭ、ハードディスクなどのハードウェアが収納されており、ハードディスクには、プログラム（このプログラムは、リムーバブルな記憶媒体に記録したり、通信ネットワークを介して配信したりすることが可能である。）を含む各種のソフトウェアが記録されている。そして、これらのハードウェア及びソフトウェアが組み合わされることによって、上述の各部２０１〜２０９が構築されている。
【００４６】
表示部２０１は、データセンター２２０の表示装置（例えば、コンピュータのディスプレイ）であり、後述する自動排除部２０４で選別された表示可能なメッセージを出力して表示するためのものである。
【００４７】
入力部２０２は、データセンター２２０の入力装置（例えば、コンピュータのキーボードやマウス）であり、後述する手動排除部２０６において、表示部２０１に出力された表示可能なメッセージを確認して、排除すべき表示可能なメッセージを更に選別する指示を行うためのものである。ここで、排除すべき表示可能なメッセージとは、予め登録された表示禁止用語２０５に一致しないが、公序良俗違反になるメッセージ（卑猥な言葉や放送禁止用語）や大型ビジョンの所有者や広告映像の広告主等にとって不利益となるようなメッセージを意味する。
【００４８】
メッセージ受信部２０３は、端末装置１００から送信されたメッセージを受信するためのものである。
【００４９】
自動排除部２０４は、後述する表示禁止用語２０５に予め登録されたメッセージと一致するメッセージを排除して表示可能なメッセージを選別するためのものである。自動排除部２０４では、メッセージが自動排除部２０４で表示可能なメッセージとして選別された場合は、表示可能なメッセージが後述する手動排除部２０６において表示部２０１に出力される。一方、自動排除部２０４では、メッセージが自動排除部２０４で表示禁止用語２０５に予め登録されたメッセージと一致するとして排除された場合は、後述する排除報告送信部２０９で排除報告が端末装置２００に送信される。尚、一致するとは、全部一致の他、一部一致を含むものである。
【００５０】
表示禁止用語２０５は、予め登録された公序良俗違反になるメッセージ（卑猥な言葉や放送禁止用語）や大型ビジョンの所有者や広告映像の広告主等にとって不利益となるようなメッセージであって、予め入力部２０２から入力されたり、リムーバブルな記憶媒体に記録されて与えられたり、有線又は無線の電気通信手段によってインターネットなどの通信ネットワークを介して与えられたりして、記憶装置や補助記憶装置等に記憶されるものである。
【００５１】
手動排除部２０６は、入力部２０２を介して表示部２０１に出力された表示可能なメッセージを排除して表示可能なメッセージを更に選別するためのものである。即ち、手動排除部２０６は、表示部２０１に出力された表示可能なメッセージを確認して、表示禁止用語２０５に予め登録されたメッセージに一致しないが、公序良俗違反になるメッセージ（卑猥な言葉や放送禁止用語）や大型ビジョンの所有者や広告映像の広告主等にとって不利益となるようなメッセージを、入力部２０２を介して、更に排除する。手動排除部２０６では、メッセージが手動排除部２０６で表示可能なメッセージとして選別された場合は、後述する表示報告送信部２０８で表示報告が端末装置１００に送信されると共に、メッセージを表示可能なメッセージとして後述するメッセージ表示部２１０に出力する。一方、手動排除部２０６では、メッセージが手動排除部２０６で排除された場合は、後述する排除報告送信部２０９で排除報告が端末装置２００に送信される。
【００５２】
表示位置指示部２０７は、表示可能なメッセージを大型ビジョン３００に表示する表示位置を指示するためのものである。ここで、表示位置とは、表示可能なメッセージが複数ある場合は、重なり合わない位置であることが好ましい。また、映像と重ね合わせて表示可能なメッセージを表示する場合は、表示位置は、重ね合わせる映像に対応して事前に設定された表示禁止領域（メッセージを重ね合わせる映像として表示しておくべき領域。即ち、メッセージを重ね合わせるべきでない映像の領域。）以外の領域内の位置が好ましい。表示禁止領域は、予め入力部２０２から入力されたり、リムーバブルな記憶媒体に記録されて与えられたり、有線又は無線の電気通信手段によってインターネットなどの通信ネットワークを介して与えられたりして、記憶装置や補助記憶装置等に記憶されるものである。また、表示位置とは、固定した表示位置に限らず、時間の経過とともに移動する表示位置も含むものである。
【００５３】
表示報告送信部２０８は、メッセージが手動排除部２０６で表示可能なメッセージとして選別された場合に、表示報告を端末装置１００に送信するためのものである。
【００５４】
排除報告送信部２０９は、メッセージが自動排除部２０４で予め登録された表示禁止用語２０５と一致するメッセージとして排除された場合、及び、メッセージが手動排除部２０６で排除された場合に、排除報告を端末装置２００に送信するためのものである。
【００５５】
メッセージ表示装置２００を構成する大型ビジョン接続端末２２１は、メッセージ表示部２１０を有して、通信ネットワーク２及び大型ビジョン３００に接続されたコンピュータ上に実装される。かかるコンピュータには、ＣＰＵ、ＲＯＭ、ＲＡＭ、ハードディスクなどのハードウェアが収納されており、ハードディスクには、プログラム（このプログラムは、リムーバブルな記憶媒体に記録したり、通信ネットワークを介して配信したりすることが可能である。）を含む各種のソフトウェアが記録されている。そして、これらのハードウェア及びソフトウェアが組み合わされることによって、上述の各部２１０が構築されている。また、大型ビジョン接続端末２２１には、接続される大型ビジョン３００に表示するための映像を格納及び送信すると共に、大型ビジョン３００を操作するためのプログラムが格納されている（図示せず）。
【００５６】
メッセージ表示部２１０は、手動排除部２０６で選別された表示可能なメッセージを、大型ビジョン３００の表示位置指示部２０７で指示された表示位置に表示するためのものである。また、大型ビジョン３００で映像が表示されている場合は、手動排除部２０６で選別された表示可能なメッセージを、映像に重ね合わせて大型ビジョン３００の表示位置指示部２０７で指示された表示位置に表示する。ここで、メッセージ表示部２１０は、大型ビジョン３００にメッセージを表示する時刻（時間帯でもよい）が決まっている場合に所定の時刻にメッセージを表示するようにしても良いし、ユーザがメッセージを表示したい時刻が決まっている場合等、入力部１０２を介して端末装置１００から送信されたユーザの指定時刻にメッセージを表示するようにしても良い（かかる場合には、端末装置１００に、入力部１０２を介してメッセージを表示する時刻を指定する表示時刻指定部を構成する）。このような場合は、事前に端末装置１００の表示部１０１にメッセージが表示される所定の時刻を表示させることが好ましい。また、メッセージ表示部２１０は、一定の時間が経過すると、大型ビジョン３００に表示したメッセージを消去する。ここで、大型ビジョン３００に表示したメッセージの消去の仕方として、一定時間経過した際にメッセージを即時に消去してもよいし、一定時間経過するまでの間にメッセージを次第に消去したりしてもよい。
【００５７】
次に、第一の実施形態に係るメッセージ表示システムの処理の手順について、図２〜図６に基づいて説明する。図２は、第一の実施形態に係るメッセージ表示システムの端末装置の処理の手順について説明したフローチャートである。図３は、第一の実施形態に係るメッセージ表示システムのメッセージ表示装置の処理の手順について説明したフローチャートである。図４は、第一の実施形態に係るメッセージ表示システムのデータの送受信の概要を示す図である。図５は、第一の実施形態に係る端末装置の表示部を示すイメージ図である。図６は、第一の実施形態に係る大型ビジョンを示すイメージ図である。
【００５８】
まず、端末装置１００の処理の手順について、説明する。
図２及び図４に示すように、表示部１０１で表示される入力内容をみながら、メッセージ入力部１１０において入力部１０２を介してメッセージが入力され（Ｓ１０１）、メッセージ送信部１０３によりメッセージがメッセージ表示装置２００に送信される（Ｓ１０２）。ここで、メッセージ入力部１１０において入力部１０２を介してメッセージが入力される際の表示部１０１で表示される画面は、例えば、図５に示すような画面になる。メッセージ送信部１０３によりメッセージが送信されると、待機状態表示部１０５により表示部１０１に待機状態を示す画面が表示される（Ｓ１０３）。
【００５９】
次に、排除報告受信部１０６において排除報告を受信したかどうかを確認する（Ｓ１０４）。図４に示すように、排除報告受信部１０６により排除報告を受信した場合は（Ｓ１０４：ＹＥＳ）、待機状態を示す画面に代えて、排除報告表示部１０７によりメッセージを大型ビジョン３００に表示することができない旨を示す画面が表示部１０１に表示され（Ｓ１０５）、メッセージを大型ビジョン３００に表示することができない旨と同時に表示された再入力するかどうかの旨が表示された表示部１０１の画面に基づいて入力部１０２を介して再入力するかどうかが判断される（Ｓ１１０）。再入力する場合は（Ｓ１１０：ＹＥＳ）、Ｓ１０１に戻り、再度、メッセー入力部１１０によりメッセージを入力することができるようになる。一方、再入力しない場合は（Ｓ１１０：ＮＯ）、処理が終了する。尚、Ｓ１１０の処理は必ずしも必要ではなく、排除報告を受信した場合（Ｓ１０４：ＹＥＳ）、処理を終了するように構成してもよい。
【００６０】
一方、排除報告受信部１０６において排除報告を受信しない場合は（Ｓ１０４：ＮＯ）、表示報告受信部１０４において表示報告を受信したかどうか確認する（Ｓ１０６）。図４に示すように、表示報告受信部１０４において表示報告を受信した場合は（Ｓ１０６：ＹＥＳ）、待機状態を示す画面に代えて、待機状態表示部１０５によりメッセージが大型ビジョン３００に表示される旨を示す画面が表示部１０１に表示され（Ｓ１０７）、処理が終了する。
【００６１】
次に、メッセージ表示装置２００の処理の手順について説明する。
図３及び図４に示すように、メッセージ受信部２０３が、端末装置１００から送信されたメッセージを受信する（Ｓ２０１）。
【００６２】
そして、自動排除部２０４において、メッセージが表示禁止用語２０５に一致して排除するかどうかを判断する（Ｓ２０２）。自動排除部２０４において、メッセージが表示禁止用語２０５に一致して排除すると判断された場合は（Ｓ２０２：ＹＥＳ）、図４に示すように、排除報告送信部２０９により、排除報告を端末装置１００に送信して、処理を終了する。一方、自動排除部２０４において、メッセージが表示禁止用語２０５に一致せず排除しないと判断された場合は（Ｓ２０２：ＮＯ）、表示可能なメッセージとして選別されて、表示可能なメッセージが表示部２０１に表示される（Ｓ２０４）。
【００６３】
次に、手動排除部２０６において、表示部２０１に表示された表示可能なメッセージを確認して、入力部２０２により排除するかどうかを判断する（Ｓ２０５）。手動排除部２０６において、表示部２０１に表示された表示可能なメッセージを確認して、入力部２０２により排除すると判断された場合は（Ｓ２０５：ＹＥＳ）、図４に示すように、排除報告送信部２０９により、排除報告を端末装置１００に送信して、処理を終了する。一方、手動排除部２０６において、表示部２０１に表示された表示可能なメッセージを確認して、入力部２０２により排除しないと判断された場合は（Ｓ２０５：ＹＥＳ）、表示可能なメッセージとして更に選別されて、図４に示すように、表示報告送信部２０８により、表示報告が送信される（Ｓ２０７）。
【００６４】
次に、図４に示すように、表示位置指示部２０７により、表示可能なメッセージを大型ビジョン３００に表示する表示位置が指示され（Ｓ２０８）、メッセージ表示部２１０により、表示可能なメッセージを大型ビジョン３００の表示位置指示部２０７により指示された表示位置に表示する（Ｓ２０９）。ここで、大型ビジョン３００に表示されている映像がある場合は、メッセージ表示部２１０により、表示されている映像に重ね合わせて表示可能なメッセージを表示する（Ｓ２０９）。尚、表示可能なメッセージを映像に重ね合わせて表示する場合には、大型ビジョン３００は、例えば、図６に示すような画面表示になる。
【００６５】
このように、第一の実施形態のメッセージ表示システム１によれば、ユーザが端末装置１００から通信ネットワーク２を介して大型ビジョン３００にメッセージを書き込むことができるため、メッセージを書き込んだユーザが大型ビジョン３００に表示されるメッセージを確認しようとするため、大型ビジョン３００の視認度を向上させることができると共に、メッセージが表示される大型ビジョン３００周辺にいる人々の間にコミュニケーションが生まれ、端末装置１００を持つユーザの娯楽性を高めることができる。また、自動排除部２０４により、公序良俗違反になるメッセージ（卑猥な言葉や放送禁止用語）や大型ビジョンの所有者や広告映像の広告主等にとって不利益となるようなメッセージを表示禁止用語として予め登録しておくことにより、かかる表示禁止用語に一致するメッセージを排除して、大型ビジョン３００に表示されるメッセージの健全性を確保することができる。更に、メッセージ表示装置２００が、通信ネットワークに接続された複数のコンピュータ（データセンター２２０及び大型ビジョン接続端末２２１）上に実装されていることから、メッセージ表示装置２００を構成する手段の一部を大型ビジョン接続端末（コンピュータ）２２１上と大型ビジョン３００から遠隔地のデータセンター２２０上にそれぞれ実装して、遠隔地のデータセンター２２０の管理を委託して、運用労力を分配することができる。
【００６６】
また、大型ビジョン３００に表示されている映像がある場合に、メッセージ表示部２１０により、表示されている映像に重ね合わせて表示可能なメッセージを表示することにより、大型ビジョン３００に表示されるメッセージの確認と同時に大型ビジョン３００に表示されている映像を必然的に見ることになるため、大型ビジョン３００に表示されている映像の認視度を向上させることができる。特に、大型ビジョン３００に表示されている映像が広告映像である場合は、広告宣伝効果を高めることができる。
【００６７】
また、手動排除部２０６により、予め登録された表示禁止用語に一致しないが、公序良俗違反になるメッセージ（卑猥な言葉や放送禁止用語）や大型ビジョンの所有者や広告映像の広告主等にとって不利益となるようなメッセージを、更に、手動により確認して排除することにより、大型ビジョンに表示されるメッセージの健全性をより一層確保することができる。
【００６８】
また、表示位置指示部２０７により、メッセージを重ね合わせる広告映像の視認度を阻害しないような表示位置を指示することにより、大型ビジョンの所有者や広告映像の広告主等に不利益が生じることを防止することができる。また、表示位置指示部２０７により、複数のメッセージが重ならないように表示位置を指示することにより、メッセージを送信したユーザの利益が確保することができる。更に、表示位置とは、固定した表示位置に限らず、時間の経過とともに移動する表示位置も含むものであり、時間の経過とともに移動する表示位置を指示することにより、メッセージの移動に伴い、大型ビジョンの視認度を向上させることができる。更に、表示位置指示部２０７において、例えば、メッセージを映像と重ね合わせる表示する場合に、映像として表示しておくべき領域を表示禁止領域として予め設定しておくことにより、映像の視認度が阻害することを防ぎ、大型ビジョンの所有者や広告映像の広告主等に不利益が生じることを防止することができる。
【００６９】
また、大型ビジョン３００でメッセージが表示される所定の時刻を予め決めておいて（例えば、事前に端末装置１００にメッセージが表示される所定の時刻を表示させる）、メッセージ表示部２１０において、所定の時刻にメッセージを大型ビジョン３００に表示することにより、メッセージを送信するユーザが事前に端末装置１００からメッセージを送信してから、大型ビジョン３００の場に行って見る事が可能となり、大型ビジョン３００前で端末装置をあわててメッセージを送信することを防止することができ、大型ビジョン３００の娯楽性をより一層高めることができる。また、予め大型ビジョン３００が利用できる時間が決まっているようなスポーツ施設等でのイベントに利用することが可能となり、メッセージを送信するユーザが利用しやすくなり、大型ビジョン３００の娯楽性をより一層高めることができる。更に、メッセージ表示部２１０において、一定時間経過するまでメッセージを表示させることにより、一定時間経過するまでメッセージを見ることになり、大型ビジョンをより長く見るため、大型ビジョンの視認度を向上させることができる。
【００７０】
また、待機状態表示部１０５において、端末装置１００からメッセージを送信してから、大型ビジョン３００にメッセージが表示されるまでのタイムラグの間、端末装置１００において待機状態を示す画面を表示することにより、端末装置１００からメッセージを送信したユーザの期待感を高めることにより、娯楽性をより一層増すことができると共に、大型ビジョン３００の視認度をより向上させることができる。
【００７１】
また、排除報告表示部１０７において、端末装置１００の表示部１０１にメッセージを大型ビジョンに表示することができない旨を示す画面を表示することにより、端末装置１００からメッセージを送信したユーザが、メッセージが表示されないことを知ることができ、ユーザの不利益を防止することができる。
【００７２】
［第二の実施形態］
次に、第二の実施形態に係るメッセージ表示システムについて、図７に基づいて説明する。図７は、第二の実施形態に係るメッセージ表示システムのブロック図である。図７に示すように、メッセージ表示システム１は、複数の端末装置１００と、データセンター２２０と、複数の大型ビジョン３００毎に設置されている大型ビジョン接続端末２２１とから構成されるメッセージ表示装置２００と、複数の大型ビジョン３００とから構成されている。また、端末装置１００とデータセンター２２０と大型ビジョン接続端末２２１とは、それぞれ通信ネットワーク２に接続されている。
【００７３】
端末装置１００は、表示部１０１と、入力部１０２と、メッセージ送信部１０３と、表示報告受信部１０４と、待機状態表示部１０５と、排除報告受信部１０６と、排除報告表示部１０７と、大型ビジョン選択部１０８と、識別子送信部１０９と、を有して、通信ネットワーク２に接続された携帯電話１００や携帯情報端末１００やパーソナルコンピュータ１００上に実装される。かかる携帯電話１００や携帯情報端末１００やパーソナルコンピュータ１００には、様々なハードウェアが収納されており、ハードウェアに含まれる記憶媒体にはプログラムやアプリケーション（このプログラムやアプリケーションは、リムーバブルな記憶媒体に記録したり、通信ネットワークを介して配信したりすることが可能である。）を含む各種のソフトウェアが記録されている。そして、これらのハードウェア及びソフトウェアが組み合わされることによって、上述の各部１０１〜１０７が構築されている。また、端末装置１００では、端末装置１００上に構築されているアプリケーションやブラウザを介して、通信ネットワーク２に接続されたメッセージ表示装置２００との通信を行う。尚、以下の説明において、第一の実施形態と同じ部位については、第一の実施形態と同じ符号を付し、その説明を省略する。
【００７４】
大型ビジョン選択部１０８は、入力部１０２を介して複数の大型ビジョン３００からメッセージを表示する大型ビジョンを選択させるためのものである。ここで、複数の大型ビジョン３００は、入力部１０２から直接入力して選択させるようにしても良いし、表示部１０１に表示されているものから入力部１０２を介して選択させるようにしても良い。
【００７５】
識別子送信部１０９は、大型ビジョン選択部１０８で選択された大型ビジョン３００に対応する識別子をメッセージ表示装置２００に送信するためのものである。
【００７６】
メッセージ表示装置２００を構成するデータセンター２２０は、表示部２０１と、入力部２０２と、メッセージ受信部２０３と、自動排除部２０４と、表示禁止用語２０５と、手動排除部２０６と、表示位置指示部２０７と、表示報告送信部２０８と、排除報告送信部２０９と、識別子受信部２１１と、を有して、通信ネットワーク２に接続されたコンピュータ上に実装される。かかるコンピュータには、ＣＰＵ、ＲＯＭ、ＲＡＭ、ハードディスクなどのハードウェアが収納されており、ハードディスクには、プログラム（このプログラムは、リムーバブルな記憶媒体に記録したり、通信ネットワークを介して配信したりすることが可能である。）を含む各種のソフトウェアが記録されている。そして、これらのハードウェア及びソフトウェアが組み合わされることによって、上述の各部２０１〜２０９が構築されている。尚、以下の説明において、第一の実施形態と同じ部位については、第一の実施形態と同じ符号を付し、その説明を省略する。
【００７７】
識別子受信部２１３は、端末装置１００から送信された識別子を受信するためのものである。
【００７８】
ここで、自動排除部２０４及び表示禁止用語２１２は、第一の実施形態と同じように構成して、選択された大型ビジョン３００に関わらず表示禁止用語２０５に予め登録されたメッセージと一致するメッセージを排除して表示可能なメッセージを選別しても良いし、複数の大型ビジョンに対応する識別子毎に表示禁止用語２０５を登録し、自動排除部２０４が、送信された識別子に対応して登録された表示禁止用語２０５に基づいてメッセージを排除して表示可能なメッセージを選別しても良い。
【００７９】
メッセージ表示装置２００を構成する複数の大型ビジョン接続端末２２１は、それぞれ、メッセージ表示部２１０を有して、通信ネットワーク２及び大型ビジョン３００に接続されたコンピュータ上に実装される。かかるコンピュータには、ＣＰＵ、ＲＯＭ、ＲＡＭ、ハードディスクなどのハードウェアが収納されており、ハードディスクには、プログラム（このプログラムは、リムーバブルな記憶媒体に記録したり、通信ネットワークを介して配信したりすることが可能である。）を含む各種のソフトウェアが記録されている。そして、これらのハードウェア及びソフトウェアが組み合わされることによって、上述の各部２１０が構築されている。また、複数の大型ビジョン接続端末２２１には、それぞれに接続される大型ビジョン３００に表示するための映像を格納及び送信すると共に、大型ビジョン３００を操作するためのプログラムが格納されている（図示せず）。
【００８０】
識別子受信部２１１で受信した識別子に対応する大型ビジョン３００に接続される大型ビジョン接続端末２２１において、メッセージ表示部２１０は、手動排除部２０６で選別された表示可能なメッセージを、大型ビジョン３００の表示位置指示部２０７で指示された表示位置に表示するためのものである。尚、メッセージ表示部２１０の詳細な内容については、第一の実施形態と同じであり、説明を省略する。
【００８１】
次に、第二の実施形態に係るメッセージ表示システムの処理の手順について、図８〜図１１に基づいて説明する。図８は、第二の実施形態に係るメッセージ表示システムの端末装置の処理の手順について説明したフローチャートである。図９は、第二の実施形態に係るメッセージ表示システムのメッセージ表示装置の処理の手順について説明したフローチャートである。図１０は、第二の実施形態に係るメッセージ表示システムのデータの送受信の概要を示す図である。図１１は、第二の実施形態に係る端末装置の表示部を示すイメージ図である。
【００８２】
まず、端末装置１００の処理の手順について説明する。
図８及び図１０に示すように、表示部１０１で表示される入力内容をみながら、メッセージ入力部１１０により入力部１０２を介してメッセージが入力されると共に（Ｓ１０１）、大型ビジョン選択部１０８により入力部１０２を介して表示する大型ビジョンが選択されて（Ｓ１０８）、メッセージ送信部１０３によりメッセージがメッセージ表示装置２００に送信されると共に（Ｓ１０２）、識別子送信部１０９により選択された大型ビジョンに対応する識別子がメッセージ表示装置２００に送信される（Ｓ１０９）。ここで、メッセージ入力部１１０により入力部１０２を介してメッセージが入力されると共に、大型ビジョン選択部１０８により入力部１０２を介して大型ビジョンが選択される際の表示部１０１で表示される画面は、例えば、図１１に示すような画面になる。メッセージ送信部１０３によりメッセージが送信されると、待機状態表示部１０５により表示部１０１に待機状態を示す画面が表示される（Ｓ１０３）。
【００８３】
次に、排除報告受信部１０６において排除報告を受信したかどうかを確認する（Ｓ１０４）。図４に示すように、排除報告受信部１０６により排除報告を受信した場合は（Ｓ１０４：ＹＥＳ）、待機状態を示す画面に代えて、排除報告表示部１０７によりメッセージを大型ビジョン３００に表示することができない旨を示す画面が表示部１０１に表示され（Ｓ１０５）、メッセージを大型ビジョン３００に表示することができない旨と同時に表示された再入力するかどうかの旨が表示された表示部１０１の画面に基づいて入力部１０２を介して再入力するかどうかが判断される（Ｓ１１０）。再入力する場合は（Ｓ１１０：ＹＥＳ）、Ｓ１０１に戻り、再度、メッセー入力部１１０によりメッセージを入力することができるようになる。一方、再入力しない場合は（Ｓ１１０：ＮＯ）、処理が終了する。尚、Ｓ１１０の処理は必ずしも必要ではなく、排除報告を受信した場合（Ｓ１０４：ＹＥＳ）、処理を終了するように構成してもよい。尚、排除報告を受信した場合（Ｓ１０４：ＹＥＳ）、Ｓ１０５の処理の後にＳ１０１に戻り、再度、メッセー入力部によりメッセージを入力できるように構成してもよい。
【００８４】
一方、排除報告受信部１０６において排除報告を受信しない場合は（Ｓ１０４：ＮＯ）、表示報告受信部１０４において表示報告を受信したかどうか確認する（Ｓ１０６）。図４に示すように、表示報告受信部１０４において表示報告を受信した場合は（Ｓ１０６：ＹＥＳ）、待機状態を示す画面に代えて、待機状態表示部１０５によりメッセージが大型ビジョン３００に表示される旨を示す画面が表示部１０１に表示され（Ｓ１０７）、処理が終了する。
【００８５】
次に、メッセージ表示装置２００の処理の手順について説明する。
図９及び図１０に示すように、メッセージ受信部２０３が、端末装置１００から送信されたメッセージを受信すると共に（Ｓ２０１）、識別子受信部２１１が、選択された大型ビジョンに対応する識別子を受信する（Ｓ２０９）。
【００８６】
そして、自動排除部２０４において、メッセージが識別子に対応する表示禁止用語２０５に一致して排除するかどうかを判断する（Ｓ２１０）。自動排除部２０４において、メッセージが識別子に対応する表示禁止用語２０５に一致して排除すると判断された場合は（Ｓ２１０：ＹＥＳ）、図４に示すように、排除報告送信部２０９により、排除報告を端末装置１００に送信して、処理を終了する。一方、自動排除部２０４において、メッセージが識別子に対応する表示禁止用語２０５に一致せず排除しないと判断された場合は（Ｓ２１０：ＮＯ）、表示可能なメッセージとして選別されて、表示可能なメッセージが表示部２０１に表示される（Ｓ２０４）。
【００８７】
次に、手動排除部２０６において、表示部２０１に表示された表示可能なメッセージを確認して、入力部２０２により排除するかどうかを判断する（Ｓ２０５）。手動排除部２０６において、表示部２０１に表示された表示可能なメッセージを確認して、入力部２０２により排除すると判断された場合は（Ｓ２０５：ＹＥＳ）、図４に示すように、排除報告送信部２０９により、排除報告を端末装置１００に送信して、処理を終了する。一方、手動排除部２０６において、表示部２０１に表示された表示可能なメッセージを確認して、入力部２０２により排除しないと判断された場合は（Ｓ２０５：ＹＥＳ）、表示可能なメッセージとして更に選別されて、図４に示すように、表示報告送信部２０８により、表示報告が送信される（Ｓ２０７）。
【００８８】
次に、図４に示すように、表示位置指示部２０７により、表示可能なメッセージを大型ビジョン３００に表示する表示位置が指示され（Ｓ２０８）、メッセージ表示部２１０により、表示可能なメッセージを識別子に対応する大型ビジョン３００の表示位置指示部２０７により指示された表示位置に表示する（Ｓ２０９）。ここで、識別子に対応する大型ビジョン３００に表示されている映像がある場合は、メッセージ表示部２１０により、表示されている映像に重ね合わせて表示可能なメッセージを表示する（Ｓ２０９）。
【００８９】
このように、第二の実施形態のメッセージ表示システムによれば、大型ビジョン選択部１０８により、メッセージを表示する大型ビジョン３００を複数から選択することができ、複数の場所に設置されている大型ビジョン３００に対応することができる。
【００９０】
また、自動排除部２０４によって、大型ビジョン毎に予め登録された表示禁止用語２０５に基づいてメッセージを排除しているため、複数の大型ビジョン毎に所有者や広告映像の広告主等が異なり、複数の大型ビジョン毎に公序良俗違反になるメッセージ（卑猥な言葉や放送禁止用語）や大型ビジョンの所有者や広告映像の広告主等にとって不利益となるようなメッセージである表示禁止用語が異なる様な場合に対応することができる。
【００９１】
以上、本発明の好適な実施の形態について説明したが、本発明は、前記実施の形態に限定されるものではなく、特許請求の範囲に記載した限りにおいてさまざまな変更が可能なものである。
【００９２】
例えば、第一の実施形態に係るメッセージ表示システム１において、メッセージ表示装置２００が、データセンター２２０と大型ビジョン接続端末２２１とから構成されているが、それに限らず、図１２に示すように、メッセージ表示装置２００の各部２０１〜２１０を全て含んで大型ビジョン接続端末２２１のみで構成されても良い。この場合は、一括管理を行うことができる。また、図１３に示すように、メッセージ表示装置２００が、データセンター２２０と大型ビジョン接続端末２２１とから構成され、データセンター２２０が、表示部２０１、入力部２０２、メッセージ受信部２０３、自動排除部２０４、表示禁止用語２０５、表示報告送信部２０８、排除報告送信部２０９を有し、大型ビジョン接続端末２２０が、手動排除部２０６、表示位置指示部２０７、表示報告送信部２０８、排除報告送信部２０９を有しても良い。この場合は、大型ビジョン３００で表示される広告映像の内容を事前に知らないでデータセンター２２０で自動排除を行い、大型ビジョン３００で表示される広告映像の内容を良く知る大型ビジョン接続端末２２１側で手動排除を行うことにより、管理体制の分担を効率よく行うことができる。
【００９３】
また、メッセージ表示装置２００において、自動排除部２０４あるいは手動排除部２０６でメッセージが排除された端末装置１００を記録し、同じ端末装置１００から自動排除部２０４あるいは手動排除部２０６で何度も（例えば、３回）排除されるメッセージが送信される場合に、当該端末装置１００のメッセージ入力部１００においてメッセージの入力ができないように指示するように構成しても良い。いたずらでメッセージが送信されることを防止するためである。
【００９４】
また、第一の実施形態に係るメッセージ表示システム１及び第二の実施形態に係るメッセージ表示システム１において、手動排除部２０６は必ずしも必要なく、自動排除部２０４のみが構成されていてもよい。このように構成することにより、メッセージ表示システム１が簡素化されて、管理負担が軽減される。
【符号の説明】
【００９５】
１      メッセージ表示システム
２      通信ネットワーク
１００  端末装置
１０１  表示部
１０２  入力部
１０３  メッセージ送信部
１０４  表示報告受信部
１０５  待機状態表示部
１０６  排除報告受信部
１０７  排除報告表示部
１０８  大型ビジョン選択部
１０９  識別子送信部
１１０  メッセージ入力部
２００  メッセージ表示装置
２０１  表示部
２０２  入力部
２０３  メッセージ受信部
２０４  自動排除部
２０５  表示禁止用語
２０６  手動排除部
２０７  表示位置指示部
２０８  表示報告送信部
２０９  排除報告送信部
２１０  メッセージ表示部
２１１  識別子受信部
２２０  データセンター（コンピュータ）
２２１  大型ビジョン接続端末（コンピュータ）
３００  大型ビジョン
【図１】
2012208847.tif 000003
【図２】
2012208847.tif 000004
【図３】
2012208847.tif 000005
【図４】
2012208847.tif 000006
【図５】
2012208847.tif 000007
【図６】
2012208847.tif 000008
【図７】
2012208847.tif 000009
【図８】
2012208847.tif 000010
【図９】
2012208847.tif 000011
【図１０】
2012208847.tif 000012
【図１１】
2012208847.tif 000013
【図１２】
2012208847.tif 000014
【図１３】
2012208847.tif 000015